(57)【要約】【課題】発話者の音声データに対してなんらかの音声処理を行う場合に、発話者が、自分の声が小さすぎたり大きすぎたりしていることを容易に把握できるようにする。【解決手段】マイクロフォンＭＣ１〜ＭＣ６と、マイクロフォンＭＣ１〜ＭＣ６からの音声データに対して所定の音声処理を行う音声処理手段と、この音声データのレベルが、所定のレベル範囲の下限よりも低いか、この所定のレベル範囲内であるか、この所定のレベル範囲の上限よりも高いかを判別するレベル判別手段と、マイクロフォンＭＣ１〜ＭＣ６に対応する位置に設けられた表示手段ＤＰ１〜ＤＰ６と、少なくとも、このレベル判別手段で判別されたレベルが、この所定のレベル範囲の下限よりも低いときと、この所定のレベル範囲の上限よりも高いときとで、表示手段ＤＰ１〜ＤＰ６に異なる表示を行わせる表示制御手段とを備える。【選択図】  図３
2006171226.tif 000002
【特許請求の範囲】
【請求項１】
マイクロフォンと、
前記マイクロフォンからの音声データに対して所定の音声処理を行う音声処理手段と、
前記音声データのレベルが、所定のレベル範囲の下限よりも低いか、前記所定のレベル範囲内であるか、前記所定のレベル範囲の上限よりも高いかを判別するレベル判別手段と、
前記マイクロフォンに対応する位置に設けられた表示手段と、
少なくとも、前記レベル判別手段で判別されたレベルが、前記所定のレベル範囲の下限よりも低いときと、前記所定のレベル範囲の上限よりも高いときとで、前記表示手段に異なる表示を行わせる表示制御手段と
を備えたことを特徴とする音声処理装置。
【請求項２】
請求項１に記載の音声処理装置において、
前記表示制御手段は、前記レベル判別手段で判別されたレベルが、前記所定のレベル範囲の下限よりも低いときと、前記所定のレベル範囲の上限よりも高いときとで、前記表示手段に異なる向きの矢印を表示させる
ことを特徴とする音声処理装置。
【請求項３】
請求項１に記載の音声処理装置において、
前記表示制御手段は、前記レベル判別手段で判別されたレベルが、前記所定のレベル範囲内であるときと、それ以外のときとで、前記表示手段に異なる色で表示を行わせる
ことを特徴とする音声処理装置。
【請求項４】
請求項１に記載の音声処理装置において、
前記所定のレベル範囲は、前記音声処理を所定以上の精度で行うためのレベル範囲であることを特徴とする音声処理装置。
【請求項５】
請求項１に記載の音声処理装置において、
前記音声処理手段は、前記マイクロフォンからの所定の時間間隔分ずつの音声データから声紋データを抽出し、抽出した声紋データを、予め記憶手段に発話者データと関連付けて記憶された声紋データと比較して発話者を特定する声紋認証処理を行う
ことを特徴とする音声処理装置。
【請求項６】
それぞれ異なる集音方向を指向するように配設される複数のマイクロフォンと、
前記複数のマイクロフォンからの音声データの音圧に応じて、一つのマイクロフォンからの音声データを選択するマイクロフォン選択手段と、
前記マイクロフォン選択手段で選択されたマイクロフォンからの音声データに対して所定の音声処理を行う音声処理手段と、
前記マイクロフォン選択手段で選択されたマイクロフォンからの音声データのレベルが、所定のレベル範囲の下限よりも低いか、前記所定のレベル範囲内であるか、前記所定のレベル範囲の上限よりも高いかを判別するレベル判別手段と、
前記複数のマイクロフォンの各々に一対一に対応する位置にそれぞれ設けられた表示手段と、
少なくとも、前記レベル判別手段で判別されたレベルが、前記所定のレベル範囲の下限よりも低いときと、前記所定のレベル範囲の上限よりも高いときとで、前記マイクロフォン選択手段で選択されたマイクロフォンに対応する位置の前記表示手段に異なる表示を行わせる表示制御手段と
を備えたことを特徴とする音声処理装置。
【請求項７】
請求項６に記載の音声処理装置において、
前記表示制御手段は、前記レベル判別手段で判別されたレベルが、前記所定のレベル範囲の下限よりも低いときと、前記所定のレベル範囲の上限よりも高いときとで、前記マイクロフォン選択手段で選択されたマイクロフォンに対応する位置の前記表示手段に異なる向きの矢印を表示させる
ことを特徴とする音声処理装置。
【請求項８】
請求項６に記載の音声処理装置において、
前記表示制御手段は、前記レベル判別手段で判別されたレベルが、前記所定のレベル範囲内であるときと、それ以外のときとで、前記マイクロフォン選択手段で選択されたマイクロフォンに対応する位置の前記表示手段に異なる色で表示を行わせる
ことを特徴とする音声処理装置。
【請求項９】
請求項６に記載の音声処理装置において、
前記所定のレベル範囲は、前記音声処理を所定以上の精度で行うためのレベル範囲であることを特徴とする音声処理装置。
【請求項１０】
請求項６に記載の音声処理装置において、
前記音声処理手段は、前記マイクロフォン選択手段で選択されたマイクロフォンからの所定の時間間隔分ずつの音声データから声紋データを抽出し、抽出した声紋データを、予め記憶手段に発話者データと関連付けて記憶された声紋データと比較して発話者を特定する声紋認証処理を行う
ことを特徴とする音声処理装置。
【発明の詳細な説明】
【技術分野】
【０００１】
本発明は、発話者の音声データに対して音声処理を行う装置に関し、特に、発話者が、自分の声が小さすぎたり大きすぎたりしていることを容易に把握できるようにしたものに関する。
【背景技術】
【０００２】
従来より、音声に基づいて当該音声に係る発話者を特定するため、音声処理装置としての声紋認証エンジンが知られており、かかる声紋認証エンジンが、例えば、銀行のコールセンター等に適用されている。
【０００３】
一般に、個々人の声紋の相違は、それぞれの人特有の顔形から生ずる口腔・鼻孔の容積・構造の相違、及び身長や性別から生ずる声帯の相違から生ずるため、声紋認証技術では、声紋に対してスペクトル分析を行い、登録された声紋データと照合することにより、高い精度で発話者を特定することが可能となる。例えば、発話者が風邪等によって声がかすれたり鼻声になったとしても、声紋の波形の強さや周波数は変化がないため、かかる場合でも発話者特定の認証精度が高い。
【０００４】
具体的には、声紋認証エンジンは、声紋モデル生成部と声紋照合部と声紋レジスタとを含んで構成される。声紋レジスタには、認証対象ユーザの発話に基づいて、各ユーザの声紋モデルが予め登録される。
【０００５】
従来の声紋認証エンジンは、以下の処理を行うことで発話者を特定する。
（１）声紋モデルの生成
声紋モデル生成部は、音声をスペクトル分析し、声紋の特徴を抽出することで、声紋モデル（声紋データ）を作成する。声紋モデルは、音声に含まれる様々な音の集まりを、時間、周波数及び音の強さの三次元のパターンで表現したものである。
（２）声紋モデルの照合
声紋照合部は、声紋認証エンジンが認証のために入力した音声の声紋の特徴を抽出して生成した声紋モデルと、予め声紋レジスタに登録された声紋モデルとを比較照合し、モデルの特徴量が近似する度合いに応じた照合値（特徴量が近似するほど大きい）を算出する。その結果、声紋レジスタに登録された声紋モデルの中で、入力した音声の声紋モデルに最も近似する声紋モデルに対応する発話者を特定する。
【０００６】
本特許出願の出願時には未公開であるが、こうした声紋認証エンジンに関する技術としては、会議中の発言のような自然な会話による音声データから、所定の時間間隔（例えば３秒間）の声紋認証単位時間の音声データ毎にリアルタイムに声紋データを生成して認証を行うものが既に提案されている（例えば、出願番号特願２００３−２８６２５６号，特願２００４−１４３９５２号の特許出願）。
【０００７】
ところで、自然な会話による音声の強さは、人によって異なっているし、同じ人であっても常に一定であるとは限らない（発話の内容によってわざと声を大きくしたり小さくすることもある）。さらに、同じ強さの音声であっても、姿勢を変えたことなどによってマイクロフォンとの距離が変化すると、声紋認証エンジンに供給される音声データのレベルは変化する。
【０００８】
そして、音声データのレベルが低すぎる場合には、上記（２）の処理での照合値が低くなってしまうことにより、発話者を特定できなくなることがある。
【０００９】
また、逆に、音声データのレベルが高すぎる場合には、音声データの波形の上下部分がクリップして歪んでしまうので、やはり上記（２）の処理での照合値が低くなって発話者を特定できなくなることがある。
【００１０】
そのため、自然な会話による音声データに対する声紋認証の認証率を高めるためには、マイクロフォンから声紋認証エンジンに供給される音声データのレベルが或る下限と上限との間の範囲内に収まるようにすることが重要となる。
【００１１】
ここで、例えば予めマイクロフォンのレベルを個々の発話者の音声の強さに合わせて初期設定しておくという方法もある。しかし、前述のように同じ発話者であっても会話中に声の強弱が変化したりマイクロフォンとの距離が変化することがあるので、この方法では、初期設定したレベルを会話中に何度も設定し直す必要が生じる。そして、このように会話中にマイクロフォンを設定し直すことは、会話を中断させることになるので、自然な会話を妨げるとともに、声紋認証のリアルタイム性を損なってしまう。
【００１２】
他方、音声認識処理の認識率を高めるための技術としては、従来から、周囲のノイズのレベルに対する発話者の音声信号のレベルの比率を求め、この比率が一定以上である場合に所定の表示（例えば点灯表示）を行うものも提案されている（例えば、特許文献１参照）。
【特許文献１】特開平９−４４１８３号公報（段落番号００２２〜００２６、図１〜２）
【発明の開示】
【発明が解決しようとする課題】
【００１３】
上記特許文献に記載の技術は、ノイズレベルに対する発話者の音声レベルの比率が一定以上であるとき（所定以上の認識率が得られるとき）とそうでないとき（所定以上の認識率が得られないとき）との２つのケースに対応して表示の有無を切り替えるようにしたものであり、発話者は、表示が行われていないときには、自分の声が小さすぎることがわかるので声を大きくすれば足りる。
【００１４】
しかし、前述の声紋認証の場合のように音声データのレベルが或る下限と上限との範囲内に収まることが重要である場合には、この範囲に収まっているとき（所定以上の認証率が得られるとき）にのみ表示を行ったのでは、発話者は、表示が行われていないときに、自分の声が小さすぎるのかそれとも大きすぎるのかを判断することが困難になる。そのため、音声データのレベルがこの範囲に収まるようになるまでに時間がかかるので、やはりリアルタイム性を損なってしまう。
【００１５】
本発明は、上述の点に鑑み、例えば自然な会話による音声データに対して声紋認証を行う場合のように、発話者の音声データに対してなんらかの音声処理を行う場合に、発話者が、自分の声が小さすぎたり大きすぎたりしていることを容易に把握できるようにすることを課題としてなされたものである。
【課題を解決するための手段】
【００１６】
この課題を解決するために、本発明に係る第１の音声処理装置は、マイクロフォンと、このマイクロフォンからの音声データに対して所定の音声処理を行う音声処理手段と、この音声データのレベルが、所定のレベル範囲の下限よりも低いか、この所定のレベル範囲内であるか、この所定のレベル範囲の上限よりも高いかを判別するレベル判別手段と、このマイクロフォンに対応する位置に設けられた表示手段と、少なくとも、このレベル判別手段で判別されたレベルが、この所定のレベル範囲の下限よりも低いときと、この所定のレベル範囲の上限よりも高いときとで、この表示手段に異なる表示を行わせる表示制御手段とを備えたことを特徴とする。
【００１７】
また、本発明に係る第２の音声処理装置は、それぞれ異なる集音方向を指向するように配設される複数のマイクロフォンと、これらの複数のマイクロフォンからの音声データの音圧に応じて、一つのマイクロフォンからの音声データを選択するマイクロフォン選択手段と、このマイクロフォン選択手段で選択されたマイクロフォンからの音声データに対して所定の音声処理を行う音声処理手段と、このマイクロフォン選択手段で選択されたマイクロフォンからの音声データのレベルが、所定のレベル範囲の下限よりも低いか、この所定のレベル範囲内であるか、この所定のレベル範囲の上限よりも高いかを判別するレベル判別手段と、これらの複数のマイクロフォンの各々に一対一に対応する位置にそれぞれ設けられた表示手段と、少なくとも、このレベル判別手段で判別されたレベルが、この所定のレベル範囲の下限よりも低いときと、この所定のレベル範囲の上限よりも高いときとで、このマイクロフォン選択手段で選択されたマイクロフォンに対応する位置のこの表示手段に異なる表示を行わせる表示制御手段とを備えたことを特徴とする。
【００１８】
本発明に係る音声処理装置では、マイクロフォンからの音声データ（第２の音声処理装置では、複数のマイクロフォンのうちマイクロフォン選択手段で選択された一つのマイクロフォンからの音声データ）に対して音声処理手段で所定の音声処理が行われるとともに、その音声データのレベルが、所定のレベル範囲の下限よりも低いか、この所定のレベル範囲内であるか、この所定のレベル範囲の上限よりも高いかがレベル判別手段で判別される。
【００１９】
また、この音声処理装置では、マイクロフォンに対応する位置（第２の音声処理装置では、複数のマイクロフォンの各々に一対一に対応する位置）に表示手段が設けられており、少なくとも、レベル判別手段で判別されたレベルが、この所定のレベル範囲の下限よりも低いときと、この所定のレベル範囲の上限よりも高いときとで、表示制御手段の制御により、この表示手段（第２の音声処理装置では、マイクロフォン選択手段で選択された一つのマイクロフォンに対応する位置の表示手段）に異なる表示が行われる。
【００２０】
したがって、音声処理の対象となっている発話者は、自分の声が小さすぎるときには、自分が向かっているマイクロフォンに対応する位置の表示手段に或る表示が行われるし、逆に自分の声が大きすぎるときには、この表示手段に別の表示が行われるので、この表示手段の表示内容から、自分の声が小さすぎるのかそれとも大きすぎるのかを直感的に容易に把握して、声の大きさ（あるいはマイクロフォンとの距離）を調節することができる。
【００２１】
これにより、自然な会話による音声データに対して音声処理を行う場合にも、ほぼリアルタイム性を保ちつつ、音声データを所定のレベル範囲に収めて音声処理を行うことができるようになる。
【００２２】
なお、この音声処理装置において、一例として、表示制御手段は、レベル判別手段で判別されたレベルが、所定のレベル範囲の下限よりも低いときと、所定のレベル範囲の上限よりも高いときとで、表示手段に異なる向きの矢印を表示させることが好適である。
【００２３】
それにより、声の大きさをどちら側に調節しなければならないか（声が小さすぎるので声を大きくしなければならないこと、あるいは声が大きすぎるので声を小さくしなければならないこと）を、発話者が直感的に容易に把握できるようにして指示することができるようになる。
【００２４】
また、この音声処理装置において、一例として、表示制御手段は、レベル判別手段で判別されたレベルが、所定のレベル範囲内であるときと、それ以外のときとで、表示手段に異なる色で表示を行わせることが好適である。
【００２５】
それにより、発話者は、もともと声の大きさが適切であるときや、声の大きさを調節した結果適切になったときにも、そのことを直感的に容易に把握することができるようになる。
【発明の効果】
【００２６】
本発明に係る音声処理装置によれば、発話者の音声データに対して音声処理を行う際に、発話者が、自分が向かっているマイクロフォンに対応する位置の表示手段の表示内容から、自分の声が小さすぎるのかそれとも大きすぎるのかを直感的に容易に把握して、声の大きさを調節する（あるいはマイクロフォンとの距離を調節する）ことができる。
【００２７】
したがって、自然な会話による音声データに対して音声処理を行う場合にも、ほぼリアルタイム性を保ちつつ、音声データを所定のレベル範囲に収めて音声処理を行うことができるという効果が得られる。
【００２８】
また、判別されたレベルが、所定のレベル範囲の下限よりも低いときと、所定のレベル範囲の上限よりも高いときとで、異なる向きの矢印を表示させることにより、声の大きさをどちら側に調節しなければならないか（声が小さすぎるので声を大きくしなければならないこと、あるいは声が大きすぎるので声を小さくしなければならないこと）を、発話者が直感的に容易に把握できるようにして指示することができるという効果が得られる。
【００２９】
また、判別されたレベルが、所定のレベル範囲内であるときと、それ以外のときとで、異なる色で表示を行わせることにより、発話者は、もともと声の大きさが適切であるときや、声の大きさを調節した結果適切になったときにも、そのことを直感的に容易に把握することができるという効果が得られる。
【発明を実施するための最良の形態】
【００３０】
以下、会議用の音声処理装置に本発明を適用した例について、図面を用いて具体的に説明する。この音声処理装置は、それぞれ複数の会議参加者が存在し、遠隔に位置する２つの会議室間において、双方向の通話を可能とする通話装置である。この通話装置の一部に、本発明に係る声紋認証処理技術が適用される。以下、先ず、この音声処理装置が適用される用途について述べる。
【００３１】
図１は、この音声処理装置が適用される一例を示す図である。図１（ａ）に示すように、遠隔に位置する２つの会議室９０１，９０２にそれぞれ音声処理装置２（会議室９０１については２Ａ，会議室９０２については２Ｂと表記するが、同一の構成である）が設置されており、これらの音声処理装置２Ａ，２Ｂが電話回線９２０で接続されている。
【００３２】
図１（ｂ）に示すように、会議室９０１において、音声処理装置２Ａがテーブル９１１の中央に置かれている。図示は省略するが、会議室９０２においても、同様にして、音声処理装置２Ｂがテーブルに置かれている。
【００３３】
図１（ｂ）及び（ｃ）に示すように、音声処理装置２Ａが置かれたテーブル９１１の周囲に、複数（本実施形態においては６名）の会議参加者Ａ１〜Ａ６がほぼ等間隔に着席している。図示は省略するが、会議室９０２においても、同様にして、音声処理装置２Ｂが置かれたテーブルの周囲に複数の会議参加者が着席している。
【００３４】
音声処理装置２によれば、２つの会議室９０１，９０２の間で、電話回線９２０を介して音声による通話が可能である。また、電話回線９２０を介しての会話は、通常、１人の話者と１人の話者同士、すなわち１対１で通話を行うが、音声処理装置２によれば、一つの電話回線９２０を用いて複数の会議参加者Ａ１〜Ａ６同士の通話が可能である。
以下、かかる音声処理装置２の構成について述べる。
【００３５】
〔音声処理装置２の構成〕
図２及び図３は、音声処理装置２の外観構成の一例を示す図であり、図２は斜視図、図３（ａ）は図２のマイクロフォン収容部１１の内部の上面図、図３（ｂ）は図２のマイクロフォン収容部１１の上面図である。
【００３６】
音声処理装置２は、双方向の通話を可能とするために、マイクロフォンとスピーカとが一体として構成され、図２に示すように、マイクロフォンを収容するためのマイクロフォン収容部１１と、会議相手先の音声を再生するスピーカを収容するためのスピーカ収容部１２と、操作部１３とを含んでいる。
【００３７】
操作部１３には、図示は省略するが、声紋登録の開始・終了を指示するための釦や、声紋認証対象のユーザのユーザＩＤを入力するための釦や、声紋認証の開始・終了を指示するための釦が配置されている。
【００３８】
図３（ａ）に示すように、マイクロフォン収容部１１の内部には、６本のマイクロフォンＭＣ１〜ＭＣ６が全方位に均等に配置されている。各マイクロフォンは、単一指向性を持つマイクロフォンである。
【００３９】
スピーカ収容部１２に収容されるスピーカは、収容筐体の中心に位置しており、スピーカからの音声が各マイクロフォンＭＣ１〜ＭＣ６に対してほぼ同音量・同位相で届くように構成されている。
【００４０】
図３（ｂ）に示すように、マイクロフォン収容部１１の上面には、各マイクロフォンＭＣ１〜ＭＣ６に一対一に対応させるようにして、６つの表示部ＤＰ１〜ＤＰ６が、それらのマイクロフォンのほぼ真上の位置に（したがって全方位に均等に）配置されている。
【００４１】
各表示部ＤＰ１〜ＤＰ６は、それぞれ同一の構成をしている。図４は、これらの表示部ＤＰ１〜ＤＰ６の表示面の外観構成を示した図である。表示部ＤＰ１〜ＤＰ６は、例えば液晶表示素子を用いたものであり、音量方向指示用の方向指示表示面１４と、現在の音量レベルをバー表示するためのレベル表示面１５とを有している。
【００４２】
会議参加者Ａ１〜Ａ６は、通常、図１（ｃ）に例示したように、音声処理装置２の周囲３６０度方向に、６０度間隔で配設されているマイクロフォンＭＣ１〜ＭＣ６の正面に向かうようにして（したがって表示部ＤＰ１〜ＤＰ６のほぼ正面に向かうようにして）ほぼ等間隔で位置している。
【００４３】
図５は、音声処理装置２の回路構成の一例を示すブロック図である。音声処理装置２は、全方位音声入力部３と、声紋認証部１とを含んでいる。
【００４４】
全方位音声入力部３は、ＤＳＰ５２と、ＤＳＰ５３と、Ａ／Ｄ変換器ブロック５１と、Ａ／Ｄ変換器５１７と、Ｄ／Ａ変換器５５１，５５２，５５３と、増幅器５６１，５６２と、スピーカ５７とを含んでいる。図５においては、Ａ／Ｄ変換器ブロック５１の一例として、各マイクロフォンＭＣ１〜ＭＣ６に対応する６個のＡ／Ｄ変換器５１１〜５１６を示している。また、図示は省略するが、全方位音声入力部３は、相手方会議室に送信する音声を圧縮符号化するためのコーデック等も含んでいる。
【００４５】
全方位音声入力部３は、これらの回路を実装した基板を、例えば、図２に示すマイクロフォン収容部１１の内部に設置したものである。
【００４６】
ＤＳＰ５２は、Ａ／Ｄ変換器５１１〜５１６によりディジタル信号に変換された６本のマイクロフォンＭＣ１〜ＭＣ６からの音声信号に基づいて、一つのマイクロフォンの音声信号を選択する処理（マイクロフォン選択処理）等の各種の信号処理を行う。ＤＳＰ５２の内部処理については後述する。
【００４７】
ＤＳＰ５３は、エコーキャンセラーとして機能する。すなわち、Ａ／Ｄ変換器５１７を介して入力する相手会議室からの音声信号の大きさと遅延量を算出し、算出した音声信号の大きさと遅延量に応じた信号を、ＤＳＰ５２を介して入力する音声信号から減じる処理を行うことにより、エコー消去処理を行う。
【００４８】
ＤＳＰ５３の処理結果は、Ｄ／Ａ変換器５５１，５５２によりアナログ信号に変換されて出力される。Ｄ／Ａ変換器５５２からの出力は、必要に応じて、図示しないコーデック等で符号化され、増幅器５６２を介して電話回線９２０（図１（ａ））のラインアウト(LINE OUT)に出力され、相手方会議室に設置された音声処理装置２のスピーカを介して、音として出力される。
【００４９】
相手方の会議室に設置された音声処理装置２からの音声は、電話回線９２０（図１（ａ））のラインイン(LINE IN) を介して入力され、Ａ／Ｄ変換器５１７においてディジタル信号に変換され、ＤＳＰ５３に入力されてエコーキャンセル処理に使用されるとともに、Ｄ／Ａ変換器５５１及び増幅器５６１を介し、スピーカ５７から音として出力される。
【００５０】
一方、ＤＳＰ５２により選択されたマイクロフォンの音声信号も、ＣＰＵ２２及びＤＳＰ５３を介してスピーカ５７から音として出力される。
すなわち、図１（ｃ）に示す会議参加者Ａ１〜Ａ６は、上述したスピーカ５７を通して、相手会議室に配置された音声処理装置２により選択された話者の音声に加えて、その会議室にいる発言者が発した音声をもスピーカ５７を介して聞くことができる。
【００５１】
音声処理装置２に内蔵された６本のマイクロフォンＭＣ１〜ＭＣ６は、それぞれ指向性を有するマイクロフォンである。
無指向性のマイクロフォンを用いた場合には、マイクロフォン周辺の全ての音を集音するので、発言者の音声と周辺ノイズとのＳ／Ｎが混同してあまり良い音が集音できない。これを避けるために、音声処理装置２では、指向性マイクロフォンで集音することにより、周辺のノイズとのＳ／Ｎを改善している。
【００５２】
〔ＤＳＰ５２の処理〕
次に、ＤＳＰ５２で行う処理内容について述べる。
ＤＳＰ５２で行われる主な処理は、マイクロフォン（以下、単にマイクと称する場合もある）の選択・切替え処理である。
すなわち、各マイクロフォンからの音声に基づいて、一つのマイクロフォンを特定し、特定したマイクロフォンからの音声を選択・出力する処理を行う。その際、全方位音声入力部３を使用する複数の会議参加者が同時に話をすると、音声が入り交じり相手方にとって聞きにくくなるため、選択されたマイクからの音声信号のみが出力される。
【００５３】
本処理を正確に行うため、ＤＳＰ５２は、下記に例示する各種の信号処理を行う。
（ａ）マイク信号の帯域分離とピークホールド処理 
（ｂ）発言の開始、終了の判定処理
（ｃ）発言者方向マイクの検出処理
（ｄ）マイク信号の選択切替え処理
【００５４】
図６は、ＤＳＰ５２において実行される処理を示す機能ブロック図である。
図６に示すように、ＤＳＰ５２は、各マイク信号に対してＢＰＦ処理を行い、音圧レベルデータを生成するＢＰＦ５２１１〜５２１６からなるＢＰＦブロック５２１と、ＢＰＦ処理された各マイクの音圧レベルデータに対してＰＨ処理を行い、後述するピーク値を生成するＰＨ５２２１〜５２２６からなるＰＨブロック５２２と、各マイクのピーク値に対して、後述する発言の開始判定やマイクの切替え処理などの各処理を実行する判定処理部５２３と、を含んで構成される。
【００５５】
かかる構成を有するＤＳＰ５２による上述した各信号処理（ａ）〜（ｄ）について、以下に述べる。
（ａ）マイク信号の帯域分離とピ−クホールド処理
本処理は、図６に示すＢＰＦブロック５２１及びＰＨブロック５２２によって行われる。
ＢＰＦブロック５２１の各ＢＰＦ処理は、後述する発言の開始、終了判定等に必要な所定の帯域通過特性（例えば、１００〜６００Ｈｚ）に基づいて行われる。
ＰＨ処理は、ＢＰＦ処理された音圧レベルデータ（マイク信号）の最大値を保持（ピークホールド）する処理を行った後のデータであるピーク値を生成する。
以降の処理、すなわち、上記（ｂ）〜（ｄ）の処理については、各マイク信号に基づいて算出されたピーク値を入力する判定処理部５２３により実行される。
【００５６】
（ｂ）発言の開始、終了の判定処理
発言の開始判定、終了判定処理は、各マイク毎に独立に、例えば、所定の閾値と音圧レベルを比較することにより、発言の開始／終了を判定する。また、定常的な騒音レベルを逐次測定し、上記所定の閾値を可変とするように構成してもよい。
ＤＳＰ５２は、例えば、マイクロフォンＭＣ１の発言の開始を判定すると、マイクロフォンＭＣ１に設定された出力ゲインを増加させる。逆に、マイクロフォンＭＣ１の発言の終了を判定すると、マイクロフォンＭＣ１に設定された出力ゲインを減少させる。
【００５７】
（ｃ）発言者方向マイクの検出処理
本処理は、各マイクに対向するそれぞれの話者が同時に発言する場合に、音圧レベルの大きい一つのマイクを選択する処理である。すなわち、１人の話者が発言を開始する場合には、一つのマイクからの音圧レベルデータに基づいて、上述した処理を行えばよいが、複数の話者が同時に発言することもあり得るので、その場合に主たる話者に係るマイクを特定する。
なお、発言者方向のマイクの検出処理に必要な各マイクの音圧レベルデータは、図６に示すように、各マイクを通して入力する音圧レベルデータに対して、バンドパス・フィルタ（ＢＰＦ）処理及びピークホールド（ＰＨ）処理を行うことにより得られるピーク値である。
【００５８】
（ｄ）マイク信号の選択切替え処理
本処理では、（ｃ）発言者方向マイクの検出処理により選択されたマイクにＤＳＰ５２の出力を切り替える処理を行う。
具体的には、各マイク毎に設定する出力ゲインを変化させることにより行う。例えば、図７に示すように、マイク信号の選択切替え処理は、６回路の乗算器と６入力の加算器により構成され、選択されたマイク信号が接続されている乗算器のチャンネルゲイン（CH Gain)を「１」に、その他の乗算器のチャンネルゲインを「０」とすることにより、加算器には〔選択されたマイク信号×１〕と〔他のマイク信号×０〕の処理結果が加算される。これにより、選択されたマイク信号（選択マイク信号）が出力される。
【００５９】
図５に示すように、ＤＳＰ５２から出力した選択マイク信号は、後段のＤＳＰ５３に送られるとともに、Ｄ／Ａ変換器５５３でアナログ信号に変換されて声紋認証部１に送られる。また、ＤＳＰ５２からは、どのマイクを選択したかを表すマイク選択情報が声紋認証部１に送られる。
【００６０】
〔声紋認証部の説明〕
次に、声紋認証部１の構成及び処理内容について述べる。
図５に示した声紋認証部１は、音声処理装置２を使用した会議において発話者の認証のために使用する装置である。図８は、声紋認証部１の回路構成例を示すブロック図である。声紋認証部１は、サウンドボード２１と、ＣＰＵ２２と、メモリ２３とを含んでいる。
【００６１】
声紋認証部１は、これらの回路を実装した基板を、例えば、図２に示すマイクロフォン収容部１１の内部に設置したものである。
【００６２】
サウンドボード２１には、図５に示した全方位音声入力部３のＤ／Ａ変換器５５２からのアナログ音声データが入力する。サウンドボード２１は、入力したアナログ音声データを、例えばサンプリング周波数８ｋＨｚ，量子化ビット数８ビットでディジタル変換する。
【００６３】
メモリ２３には、認証対象の複数のユーザ（会議参加予定者）の声紋モデル（声紋データ）が、それらのユーザのユーザＩＤと関連付けられて記憶されている。また、メモリ２３には、ＣＰＵ２２が実行する各種プログラムが格納されている。それらのプログラムの中には、声紋認証処理のプログラム（声紋認証エンジン）や、発話者に声の大きさを知らせるための音量表示処理のプログラムが含まれている。
【００６４】
ＣＰＵ２２は、サウンドボード２１でディジタル変換された音声データに対して、この声紋認証処理と音量表示処理とを並行して実行する。
【００６５】
声紋認証処理は、供給される音声データを、声紋認証可能な単位時間（声紋認証単位時間。本実施形態では、３秒間）毎に声紋認証して、発話者（ユーザＩＤ）を特定する。声紋認証技術としては、すでに公知の技術をこの声紋認証処理に適用させることが可能である。
なお、声紋認証単位時間は、発話者が複数存在し、発話者が切り替わる場合等を考慮すると、発話者特定精度の観点から、ＣＰＵ２２の処理能力が許せば、極力短い時間が望ましい。
【００６６】
声紋認証処理は、会議中に発話者を認証する処理であり、以下の（１）乃至（３）の処理から成っている。
（１）声紋モデル（声紋データ）の生成
声紋認証対象の各ユーザの音声データ（声紋認証対象のユーザが音声処理装置２のいずれかのマイクロフォンに向かって発話し、ＤＳＰ５２によって選択されたそのマイクロフォンの音声信号）をスペクトル分析し、声紋の特徴を抽出することで、声紋モデルを作成する。すなわち、声紋モデルは、音声に含まれる様々な音の集まりを、時間、周波数および音の強さの三次元のパターンで表現したものである。
【００６７】
（２）声紋モデルの照合
生成した声紋モデルと、メモリ２３内の認証対象の各ユーザの声紋モデルとを比較／照合し、モデルの特徴量が近似する度合いに応じた照合スコアＳＣＲ（特徴量が近似するほど大きい）を算出する。その結果、声紋レジスタに登録された声紋モデルの中で、入力した音声の声紋モデルに最も近似する声紋モデルに対応するユーザＩＤを特定する。
【００６８】
（３）照合スコアと閾値との比較
上記（２）の処理で算出した照合スコアＳＣＲを、閾値ＴＨＤと比較し、照合スコアＳＣＲが閾値ＴＨＤを越える場合には、上記（２）の処理で特定したユーザＩＤを有効なものと判断し、図８及び図５に示すＶ＿ＩＤとして出力する。
【００６９】
図９は、連続する複数の声紋認証単位時間ＡＰ１〜ＡＰ７についてのこの声紋認証処理の処理結果を例示するタイミングチャートである。図９（ａ）は音声データの波形を示しており、図９（ｂ）は照合スコアＳＣＲを示している。照合スコアＳＣＲは、例えば声紋モデルの近似度合いに応じて−３．０〜＋５．０の範囲の値をとるが、仮に閾値ＴＨＤを−１．０とした場合には、声紋認証単位時間ＡＰ１，ＡＰ２，ＡＰ４，ＡＰ７のときに、いずれも閾値ＴＨＤ以上の値の照合スコアＳＣＲを算出しているので、声紋認証単位時間ＡＰ１，ＡＰ２，ＡＰ４，ＡＰ７のときに特定したユーザＩＤを有効なものとして出力する。
【００７０】
例えば会議参加者のうちの一部の者だけに発言が許可されており、その一部の者のユーザＩＤに関する情報がメモリ２３（図８）に記憶されているような場合には、ＣＰＵ２２（図８）は、声紋認証処理によって特定したユーザＩＤがこの発言を許可された一部の者のユーザＩＤに該当しないときに、図８及び図５に示すように全方位音声入力部３のＤＳＰ５３に制御信号を送って、ＤＳＰ５３からＤ／Ａ変換器５５２に音声信号を出力させない（したがって、発言を許可されていない者の音声を相手方会議室に送らせない）ようにすることができる。
【００７１】
また、前述のように、声紋認証部１には、全方位音声入力部３のＤＳＰ５２から、どのマイクを選択したかを表すマイク選択情報が送られるので、このマイク選択情報に基づいて、さらに認証精度を向上させることもできる。
すなわち、マイク番号とユーザＩＤとが対応付けられたデータが予めメモリ２３に格納されていれば、ＣＰＵ２２は、マイク選択情報と、マイク番号に対応付けられたユーザＩＤを照合することにより、ユーザＩＤを特定することができる。
例えば、このマイク選択情報に基づいて特定したユーザＩＤと、声紋認証処理によって特定したユーザＩＤとを比較して、一致した場合にのみ、正しいユーザＩＤを特定したものとしてその後の処理を行うことができる。
あるいはまた、マイク選択情報に基づいて特定したユーザＩＤと、声紋認証処理によって特定したユーザＩＤとが一致しない場合は、声紋認証処理の精度がより高いと判断して、声紋認証処理によって特定したユーザＩＤに基いてその後の処理を行うこともできる。
【００７２】
また、図８及び図５に示す出力Ｖ＿ＩＤは、例えば会議中にリアルタイムな声紋認証結果に基いて何らかの操作（例えば現在発言中の会議出席者にカメラを向ける操作）を行うために利用することができる。
【００７３】
なお、この声紋認証処理は、サウンドボード２１からの音声データのレベル（したがってＤＳＰ５２によって選択されたマイクロフォンからの音声データのレベル）が低すぎる場合には、図９に例示したような上記（２）の処理での照合スコアＳＣＲが低くなってしまうことにより、発話者を特定することが困難になる。
【００７４】
また、逆に、この音声データのレベルが高すぎる場合には、音声データの波形の上下部分がクリップして歪んでしまうので、やはり上記（２）の処理での照合スコアＳＣＲが低くなって発話者を特定することが困難になる。
【００７５】
メモリ２３には、この声紋認証処理にとって最も適切である（声紋認証処理を最も高い認証率で行うことができる）と思われる音声レベルの基準値のデータも記憶されている。
【００７６】
次に、この声紋認証処理と並行して実行される音量表示処理について説明する。図１０は、この音量表示処理を示すフローチャートである。この処理は、声紋認証単位時間（３秒間）よりも十分短い一定の期間（例えば０．１秒から１秒の間の期間）を周期として繰り返し行われるものであり、最初に、当該期間におけるサウンドボード２１からの音声データをピークホールドする（ステップＳ１）。そして、そのピーク値を、メモリ２３内の前述の音声レベルの基準値を中心とする所定のレベル範囲（例えば、この基準値に対して±１０デシベルの範囲、以下「規定レベル範囲」と呼ぶ）と比較して、規定レベル範囲の下限未満であるのか、規定レベル範囲内であるのか、規定レベル範囲の上限を超えているのかを判別する（ステップＳ２）。
【００７７】
判別の結果、規定レベル範囲の下限未満であった場合には、ＤＳＰ５２からのマイク選択情報に基き、図８及び図５に示すように、表示部ＤＰ１〜ＤＰ６（図３，図４）のうちＤＳＰ５２で選択されたマイクロフォンに対応する位置の表示部に制御信号を送って、発話者の音量が小さすぎることを示す表示を行わせる（ステップＳ３）。そして、当該期間についての処理を終了する（その後、直ちに次の期間についての音量表示処理を開始する）。
【００７８】
図１１（ａ）は、このステップＳ３での表示例を示す。方向指示表示面１４に、右向きの矢印を表示するとともに、レベル表示面１５に、現在の音量レベルを赤色でバー表示する。
【００７９】
他方、判別の結果、規定レベル範囲の上限を超えていた場合には、ＤＳＰ５２からのマイク選択情報に基き、選択されたマイクロフォンに対応する位置の表示部に、発話者の音量が大きすぎることを示す表示を行わせる（ステップＳ４）。そして、当該期間についての処理を終了する。
【００８０】
図１１（ｂ）は、このステップＳ４での表示例を示す。方向指示表示面１４に、左向きの矢印を表示するとともに、レベル表示面１５に、現在の音量レベルを赤色でバー表示する。
【００８１】
他方、判別の結果、規定レベル範囲内であった場合には、ＤＳＰ５２からのマイク選択情報に基き、選択されたマイクロフォンに対応する位置の表示部に、発話者の音量が適切であることを示す表示を行わせる（ステップＳ５）。そして、当該期間についての処理を終了する。
【００８２】
図１１（ｃ）は、このステップＳ５での表示例を示す。方向指示表示面１４には表示を行わないとともに、レベル表示面１５に、現在の音量レベルを緑色でバー表示する。
【００８３】
この音量表示処理により、例えば図１（ｃ）に示した会議参加者Ａ１が発言している（ＤＳＰ５２でマイクロフォンＭＣ１が選択されている）場合に、会議参加者Ａ１の声が声紋認証処理にとって小さすぎるときには、音声処理装置２のマイクロフォン収容部１１の上面の会議参加者Ａ１の正面に位置する表示部ＤＰ１（図３）に、図１１（ａ）に例示したように、現在の音量レベルが赤色（警告色）でバー表示されるとともに、右向きの矢印によって、声が小さすぎるので声を大きくしなければならないことが表示される。
【００８４】
また、会議参加者Ａ１の声が声紋認証処理にとって大きすぎるときには、この表示部ＤＰ１に、図１１（ｂ）に例示したように、現在の音量レベルが赤色でバー表示されるとともに、左向きの矢印によって、声が大きすぎるので声を小さくしなければならないことが表示される。
【００８５】
また、会議参加者Ａ１の声が声紋認証処理にとって適切であるときには、この表示部ＤＰ１に、図１１（ｃ）に例示したように、現在の音量レベルが緑色（安全色）でバー表示され、矢印は表示されない。
【００８６】
したがって、会議参加者Ａ１は、自分の声の大きさが声紋認証処理にとって適切でないときに、表示部ＤＰ１の表示内容（図１１（ａ），（ｂ））から、自分の声が小さすぎるのかそれとも大きすぎるのかや、声の大きさをどちら側に調節しなければならないか（声が小さすぎるので声を大きくしなければならないこと、あるいは声が大きすぎるので声を小さくしなければならないこと）を直感的に容易に把握して、声の大きさ（あるいはマイクロフォンとの距離）を調節することができる。
【００８７】
また、会議参加者Ａ１は、もともと声の大きさが適切であるときや、声の大きさを調節した結果適切になったときにも、表示部ＤＰ１の表示内容（図１１（ｃ））から、そのことを直感的に容易に把握することができる。
【００８８】
その後、会議参加者Ａ１が発言を終了し、例えば会議参加者Ａ４が発言を開始した（ＤＳＰ５２でマイクロフォンＭＣ４が選択された）場合には、今度は会議参加者Ａ４の正面の表示部ＤＰ４に同様な表示が行われるので、会議参加者Ａ４は、やはり、自分の声が小さすぎるのかそれとも大きすぎるのかや、声の大きさをどちら側に調節しなければならないかを直感的に容易に把握して、声の大きさを調節することができる。
【００８９】
このようにして、各会議参加者Ａ１〜Ａ６は、自分が発言しているときに、自分の正面の表示部ＤＰ１〜ＤＰ６の表示内容から、自分の声が小さすぎるのかそれとも大きすぎるのかや、声の大きさをどちら側に調節しなければならないかを直感的に容易に把握して、声の大きさを調節することができる。
【００９０】
これにより、この音声処理装置２では、マイクロフォンからの音声データのレベルを、ほぼリアルタイム性を保ちつつ、声紋認証処理にとって適切なレベル範囲に収めることができるようになる。したがって会議中の発言による音声データに対して、高い認証率で声紋認証を行うことができるようになる。
【００９１】
最後に、音声処理装置２にマイクロフォンＭＣ１〜ＭＣ６に対応して設ける表示部の構成の変形例をいくつか示す。図１２は、図３（ｂ）に示した表示部ＤＰ１〜ＤＰ６に代えて、マイクロフォン収容部１１の上面に、３個の発光ダイオードを１組とする６組の表示部ＤＰ１１〜ＤＰ１６を放射状に配置した例を示す。
【００９２】
各表示部ＤＰ１１〜ＤＰ１６は、マイクロフォンＭＣ１〜ＭＣ６に一対一に対応させるようにして、それらのマイクロフォンのほぼ真上に位置している。
【００９３】
各表示部ＤＰ１１〜ＤＰ１６をそれぞれ構成する３個の発光ダイオードのうち、最内周の発光ダイオードＬ１１（１）〜Ｌ１６（１）と最外周の発光ダイオードＬ１１（３）〜Ｌ１６（３）とは赤色の発光ダイオードであり、中央の発光ダイオードＬ１１（２）〜Ｌ１６（２）は緑色の発光ダイオードである。
【００９４】
この変形例では、図１０に示した音量表示処理において、ステップＳ３では、表示部ＤＰ１１〜ＤＰ１６のうちＤＳＰ５２で選択されたマイクロフォンに対応する位置の表示部の最内周の発光ダイオード（例えばマイクロフォンＭＣ１が選択された場合はＬ１１（１））のみを発光させるように制御する。
【００９５】
また、ステップＳ４では、表示部ＤＰ１１〜ＤＰ１６のうちＤＳＰ５２で選択されたマイクロフォンに対応する位置の表示部の全ての発光ダイオード（例えばマイクロフォンＭＣ１が選択された場合はＬ１１（１），Ｌ１１（２）及びＬ１１（３））を発光させるように制御する。
【００９６】
また、ステップＳ５では、表示部ＤＰ１１〜ＤＰ１６のうちＤＳＰ５２で選択されたマイクロフォンに対応する位置の表示部の最内周の発光ダイオード及び中央の発光ダイオード（例えばマイクロフォンＭＣ１が選択された場合はＬ１１（１）及びＬ１１（２））を発光させるように制御する。
【００９７】
この変形例では、各会議参加者Ａ１〜Ａ６は、自分の正面の３個の発光ダイオードのうち、自分の声が声紋認証処理にとって小さすぎるときには最内周の発光ダイオード（赤色）だけが点灯し、自分の声が声紋認証処理にとって大きすぎるときには、最外周の発光ダイオード（赤色）までの全ての発光ダイオードが全て点灯する（すなわち、３個１組の発光ダイオードの発光数で音量レベルが表示される）ので、自分の声が小さすぎるのかそれとも大きすぎるのかを直感的に容易に把握して、声の大きさ（あるいはマイクロフォンとの距離）を調節することができる。
【００９８】
また、もともと声の大きさが適切であるときや、声の大きさを調節した結果適切になったときにも、自分の正面の３個の発光ダイオードのうちの中央の発光ダイオード（緑色）までが点灯するので、そのことを直感的に容易に把握することができる。
【００９９】
図１３は、図３（ｂ）に示した表示部ＤＰ１〜ＤＰ６に代えて、マイクロフォン収容部１１の上面の中央部に、透明な樹脂カバーで覆われたタワー状の表示塔１６を設けた例を示しており、図１３（ａ）は斜視図、図１３（ｂ）は上面図である。図１４は、この表示塔１６の樹脂カバーの内側の構成を示しており、図１４（ａ）は正面図、図１４（ｂ）は上面図である。表示塔１６は、仕切り板１７により、それぞれ上下方向に３個の発光ダイオードを配列した６つの表示部ＤＰ２１〜ＤＰ２６に等分割されている。 各表示部ＤＰ２１〜ＤＰ２６は、マイクロフォンＭＣ１〜ＭＣ６（図３（ａ））に一対一に対応させるようにして、それらのマイクロフォンと同じ方向を向いている。
【０１００】
各表示部ＤＰ２１〜ＤＰ２６を構成する３個の発光ダイオードのうち、最も下側の発光ダイオードＬ２１（１）〜Ｌ２６（１）と最も上側の発光ダイオードＬ２１（３）〜Ｌ２６（３）とは赤色の発光ダイオードであり、中央の発光ダイオードＬ２１（２）〜Ｌ２６（２）は緑色の発光ダイオードである。（図では、Ｌ２１（３），Ｌ２２（３），Ｌ２３（３），Ｌ２４（３），Ｌ２５（１）〜２５（３），Ｌ２６（３）以外の発光ダイオードは見えない位置にある。）
【０１０１】
この変形例では、図１０に示した音量表示処理において、ステップＳ３では、表示部ＤＰ２１〜ＤＰ２６のうちＤＳＰ５２で選択されたマイクロフォンに対応する位置の表示部の最も下側の発光ダイオード（例えばマイクロフォンＭＣ１が選択された場合はＬ２１（１））のみを発光させるように制御する。
【０１０２】
また、ステップＳ４では、表示部ＤＰ２１〜ＤＰ２６のうちＤＳＰ５２で選択されたマイクロフォンに対応する位置の表示部の全ての発光ダイオード（例えばマイクロフォンＭＣ１が選択された場合はＬ２１（１），Ｌ２１（２）及びＬ２１（３））を発光させるように制御する。
【０１０３】
また、ステップＳ５では、表示部ＤＰ２１〜ＤＰ２６のうちＤＳＰ５２で選択されたマイクロフォンに対応する位置の表示部の最も下側の発光ダイオード及び中央の発光ダイオード（例えばマイクロフォンＭＣ１が選択された場合はＬ２１（１）及びＬ２１（２））を発光させるように制御する。
【０１０４】
この変形例では、各会議参加者Ａ１〜Ａ６は、表示塔１６の自分の正面の３個の発光ダイオードのうち、自分の声が声紋認証処理にとって小さすぎるときには最も下側の発光ダイオード（赤色）だけが点灯し、自分の声が声紋認証処理にとって大きすぎるときには、最の上側の発光ダイオード（赤色）までの全ての発光ダイオードが全て点灯する（すなわち、３個１組の発光ダイオードの発光数で音量レベルが表示される）ので、自分の声が小さすぎるのかそれとも大きすぎるのかを直感的に容易に把握して、声の大きさ（あるいはマイクロフォンとの距離）を調節することができる。
【０１０５】
また、もともと声の大きさが適切であるときや、声の大きさを調節した結果適切になったときにも、自分の正面の３個の発光ダイオードのうちの中央の発光ダイオード（緑色）までが点灯するので、そのことを直感的に容易に把握することができる。
【０１０６】
なお、以上の例では、発話者の声の大きさが適切であるときとそうでないときとで、異なる色（緑色と赤色）の表示を行っている。しかし、別の例として、発話者の声の大きさが適切であるときとそうでないときとで同じ色の表示を行い、且つ、声の大きさが適切であるときと小さすぎるときと大きすぎるときとで互いに異なる態様の表示を行う（例えば、表示面積を異ならせたり、異なる記号や文字を表示したり、複数個の発光素子を点滅と点灯とに切り替えるとともに点滅方向を切り替える）ようにしてもよい。
【０１０７】
また、以上の例では、声紋認証部１を音声処理装置２の内部に設けている。しかし、別の例として、音声処理装置２の外部に、声紋認証部１と同一の機能を有する音声処理装置を設けるようにしてもよい。その音声処理装置は、専用の装置として構成してもよいが、パーソナルコンピュータを用いてもよい。パーソナルコンピュータを用いる場合には、声紋認証処理や図１０に示した音量表示処理のアプリケーションソフトウェアを、例えばＣＤ−ＲＯＭ等の記録媒体として提供してパーソナルコンピュータにインストールさせたり、あるいはまたＷｅｂサイトからダウンロードさせてパーソナルコンピュータにインストールさせるようにすればよい。
【０１０８】
あるいはまた、音声処理装置２内において、図５の声紋認証部１と全方位音声入力部３とを同じ基板上に実装して、ＤＳＰ５２から直接図８のＣＰＵ２２に選択マイク信号（ディジタル音声データ）を送る（ＤＳＰ５３にはＣＰＵ２２を介して音声データを送る）ようにしてもよい。
【０１０９】
また、以上の例では複数のマイクロフォンを有する音声処理装置に本発明を適用しているが、これに限らず、１つのマイクロフォンを有する音声処理装置において、そのマイクロフォンに対応する位置に表示部を設けて以上の例のような表示を行うようにしてもよい。
【０１１０】
また、以上の例では会議中の発言による音声データに対して声紋認証を行う音声処理装置に本発明を適用しているが、これに限らず、自然な会話による音声データに対して声紋認証を行うあらゆる場面や、さらには声紋認証以外の音声処理（例えば、声紋モデルの登録処理や、音声認識処理）を行うあらゆる場面に本発明を適用してよい。
【図面の簡単な説明】
【０１１１】
【図１】本発明の音声処理装置の適用例を示す図である。
【図２】本発明の音声処理装置の外観構成例を示す図である。
【図３】本発明の音声処理装置の外観構成例を示す図である。
【図４】図３の各表示部の表示面の外観構成例を示す図である。
【図５】本発明の音声処理装置の回路構成例を示すブロック図である。
【図６】図５のＤＳＰ５２の機能ブロック図である。
【図７】ＤＳＰ５２のマイク信号選択切替え処理を示す機能ブロック図である。
【図８】図５の声紋認証部の回路構成例を示すブロック図である。
【図９】声紋認証処理による処理結果を例示する図である。
【図１０】音量表示処理の処理内容を示すフローチャートである。
【図１１】音量表示処理による図３の表示部の表示例を示す図である。
【図１２】表示部の構成の変形例を示す図である。
【図１３】表示部の構成の変形例を示す図である。
【図１４】図１３の表示塔の内部構成を示す図である。
【符号の説明】
【０１１２】
１  声紋認証部、  ２  音声処理装置、  ３  全方位音声入力部、  １１  マイクロフォン収容部、  １２  スピーカ収容部、  １３  操作部、  １４  方向指示表示面、  １５  レベル表示面、  １６  表示塔、  ＭＣ１〜ＭＣ６  マイクロフォン、  ＤＰ１〜ＤＰ６，ＤＰ１１〜ＤＰ１６，ＤＰ２１〜ＤＰ２６  表示部、  Ｌ１１（１）〜１６（３），Ｌ２１（１）〜２６（３）  発光ダイオード、  ２１  サウンドボード、  ２２  ＣＰＵ、  ２３  メモリ、  ５１１〜５１６  Ａ／Ｄ変換器、  ５２，５３  ＤＳＰ、  ５７  スピーカ
【図１】
2006171226.tif 000003
【図２】
2006171226.tif 000004
【図３】
2006171226.tif 000005
【図４】
2006171226.tif 000006
【図５】
2006171226.tif 000007
【図６】
2006171226.tif 000008
【図７】
2006171226.tif 000009
【図８】
2006171226.tif 000010
【図９】
2006171226.tif 000011
【図１０】
2006171226.tif 000012
【図１１】
2006171226.tif 000013
【図１２】
2006171226.tif 000014
【図１３】
2006171226.tif 000015
【図１４】
2006171226.tif 000016